【事件の表示】
　特願２００４−２１３７７９「遊技機」拒絶査定不服審判事件〔平成１８年　２月　２日出願公開、特開２００６−　２６３３６〕について、次のとおり審決する。
【結　論】
　本件審判の請求は、成り立たない。
【理　由】
　
第一、手続きの経緯
　本願は、平成１６年７月２２日の出願であって、平成１９年１２月２０日付けで拒絶理由が通知され、これに対し、平成２０年２月１９日付けで手続補正がなされ、同年６月４日付けで拒絶査定がなされたところ、これに対し、同年７月９日に拒絶査定不服の審判請求がなされるとともに、同年７月２４日付け手続補正書によって特許請求の範囲及び明細書の全文が補正されたものである。
　なお、当審において、平成２１年３月９日付けで審査官による前置報告書の内容を添付して審尋を行い、同年４月３０日に回答書が提出されている。
　
第二、平成２０年７月２４日付けの手続補正についての補正却下の決定
［補正却下の決定の結論］
　平成２０年７月２４日付けの手続補正（以下、「本件補正」という。）を却下する。
［理由］
　（１）補正前・後の本願発明　　
　本件補正は、補正前（平成２０年２月１９日付け手続補正により補正された特許請求の範囲）の請求項１に記載された、
　「発射部に供給するための遊技球を保持する上皿と、
　当該上皿の下方に設けられ、賞品球を保持するための下皿と、
　前記上皿に連通し、当該上皿から送出された遊技球を前記発射部に導く供給通路を有する球送り装置とを備えた遊技機において、
　前記上皿から前記下皿に連通し、球抜き操作により遊技球を前記上皿から前記下皿に排出する第一の球抜通路と、
　前記上皿の底部に設けられ、当該第一の球抜通路に連通する第一の球抜口と、
　当該第一の球抜口に設けられ、常には当該第一の球抜口を閉じる方向に付勢され、球抜き操作により前記第一の球抜口を開放する位置に移動可能な第一の可動板と、
　前記球送り装置から前記下皿に連通する第二の球抜通路と、
　前記供給通路の終端に設けられ、当該第二の球抜通路と連通する第二の球抜口と、
　当該第二の球抜口に設けられ、常には当該第二の球抜口を閉じる方向に付勢され、球抜き操作により前記第二の球抜口を開放する位置に移動可能な第二の可動板とを備え、
　前記第一の可動板と前記第二の可動板とが一体成形されており、
　遊技球を下皿へ排出させる球抜き操作を遊技者が実施可能な操作部材を備え、
　当該操作部材の操作と連動して、前記第一の可動板は前記第一の球抜口を開放する位置に移動するとともに前記第二の可動板は前記第二の球抜口を開放する位置に移動し、
　前記第一の球抜口を落下する遊技球と前記第二の球抜口を落下する遊技球とを前記球送り装置を介して排出することを特徴とする遊技機。」を、
　　
　「発射部に供給するための遊技球を保持する上皿と、
　当該上皿の下方に設けられ、賞品球を保持するための下皿と、
　前記上皿に連通し、当該上皿から送出された遊技球を前記発射部に導く供給通路を有する球送り装置とを備えた遊技機において、
　前記上皿から前記下皿に連通し、球抜き操作により遊技球を前記上皿から前記下皿に排出する第一の球抜通路と、
　前記上皿の底部に設けられ、当該第一の球抜通路に連通する第一の球抜口と、
　当該第一の球抜口に設けられ、常には当該第一の球抜口を閉じる方向に付勢され、球抜き操作により前記第一の球抜口を開放する位置に移動可能な第一の可動板と、
　前記球送り装置から前記下皿に連通する第二の球抜通路と、
　前記供給通路の終端に設けられ、当該第二の球抜通路と連通する第二の球抜口と、
　当該第二の球抜口に設けられ、常には当該第二の球抜口を閉じる方向に付勢され、球抜き操作により前記第二の球抜口を開放する位置に移動可能な第二の可動板とを備え、
　前記第一の可動板と前記第二の可動板とが一体成形されており、
　遊技球を下皿へ排出させる球抜き操作を遊技者が実施可能な操作部材を備え、
　当該操作部材の操作と連動して、
前記第一の可動板と前記第二の可動板とは遊技機の前後方向に移動し、
　前記第一の球抜口を落下する遊技球と前記第二の球抜口を落下する遊技球とを前記球送り装置を介して排出することを特徴とする遊技機。」と補正するものである（下線部は補正部分）。
　
　上記補正は、補正前の特許請求の範囲の請求項１に記載された発明を特定するために必要な事項である「第一の可動板と第二の可動板」における「第一の球抜口を開放する位置、及び第二の球抜口を開放する位置」への「移動」について、「遊技機の前後方向に移動」と限定するものであるから、本件補正は、平成１８年法律第５５号改正附則第３条第１項によりなお従前の例によるとされる同法による改正前の特許法第１７条の２第４項第２号の特許請求の範囲の減縮を目的とするものに該当する。
　
　（２）そこで、本件補正後の請求項１に記載された発明（以下、「本願補正発明」という。）が特許出願の際独立して特許を受けることができるものであるのか（上記改正前の特許法第１７条の２第５項において準用する同法第１２６条第５項の規定に適合するか）について以下に検討する。
　
　（あ）刊行物に記載された発明
刊行物１；特開２００２−１９１８２０号公報
　
　原査定の拒絶理由通知に引用され、本願出願前に頒布された、特開２００２−１９１８２０号公報（以下、「引用刊行物１」という。）には、以下の記載がある（なお、符号「９」の用語として「皿部」と「球皿」とを混用しているが、【符号の説明】の欄の記載に基づき、「球皿」は誤記と認められる。）。
　（１−１）「（５７）【要約】
【課題】  遊技終了時に皿部に貯留されるパチンコ球および打球供給装置内に残るパチンコ球を同時に球抜きしても、球詰まりを起こすことなく確実に排出できるできるパチンコ機の球受皿を提供する。
【解決手段】  パチンコ球を貯留する皿部９と該皿部９のパチンコ球Ｂを受け入れると共に発射レール３の発射位置５に一個づつ供給する打球供給装置２１とを備え、前記球皿９の流下端の下面に常には球抜板４２で閉塞される球抜口１８を設け、前記打球供給装置２１にはその一側に常には前記球抜板４２と連動する球抜部材２４により閉塞される開口３７を設け、前記球抜口１８を開放し該球抜口１８を介して皿部９のパチンコ球Ｂの球抜きをするとき、同時に前記開口３７を開放して打球供給装置２１内に残るパチンコ球Ｂも前記開口３７を介して球抜きするようにしたパチンコ機の球受皿６において、前記球抜口１８と連通する球抜通路１９と、開口３７と連通する球抜通路３９とをそれぞれ別個に形成するようにした。」、　
　（１−２）「【０００９】
【発明の実施の形態】以下本発明に係るパチンコ機の球受皿の実施の形態を図面に基づき説明する。・・・図において、・・・６は発射レール３の前面を覆う球受皿であって、遊技盤２の上方部を覆うガラス扉枠７と共に前面枠１の窓孔８の一側に開閉自在に装着されている。前記球受皿６には球払出装置（図示せず）から払い出されたパチンコ球を貯留し、そのパチンコ球を後述する打球供給装置２１に供給する皿部９が備えられる。また、前記前面枠１の下部前面には皿部９に充満してオーバーフローしたパチンコ球を貯留する余剰球受皿１０及び発射位置５から発射されるパチンコ球の弾発力を調節する操作ハンドル１１が装着されている。」、　
　（１−３）「【００１１】前記皿部９は底部が一方に緩やかに下り傾斜し、その傾斜下部にパチンコ球が一列に整列される球流下通路１６が形成されており、この球流下通路１６の下流端は皿当板部１４と支持板部１５に連通して開設された流出口１７に接続される。また、下流端の底面に常には後記する球抜板４２により閉塞される球抜口１８が開設され、該球抜口１８はその下方に設けられた球抜通路である第一球抜通路１９に連通するようになっている。２０は前記第一球抜通路１９の下流端と対応位置して支持板部１５に開設される通口である。そして、支持板部１５の裏面には前記流出口１７と対応させて打球供給装置２１が配設される。
【００１２】前記打球供給装置２１は、図５に示すように中空箱枠体２２と球送部材２３と球抜部材２４とからなる。中空箱枠体２２は、更に前本体部２２ａと後本体部２２ｂとに二分割して形成され、これらはそれぞれビス２５止めすることにより一体化される。なお、これら前本体部２２ａと後本体部２２ｂは一体に成形するようにしても良い。そして、前本体部２２ａの一側上部に前記流出口１７と連通する球入口２６が設けられ、後本体部２２ｂの内部には前記球入口２６と連通する横やや下向きの供給通路２７が設けられ、該供給通路２７の終端下方に球送部材２３が配置され、供給通路２７内の最先位置にあるパチンコ球を１個ずつ前記発射レール３の発射位置５に導くようにしている。」、　
　（１−４）「【００１６】前記中空箱枠体２２内部の係合腕２３ｂ側であって、その上方に供給通路２７と連なる垂直な球抜路３６が形成され、該球抜路３６と対応させて前本体部２２ａに開口３７が設けられている。これにより、球抜路３６は開口３７及び支持板部１５に設けられた連通口３８を介して該連通口３８と連通する球抜通路である第二球抜通路３９と連通される。また、４０は供給通路２７の下側で前本体部２２ａに設けられ球抜部材２４を嵌入させるためのガイド溝であり、該ガイド溝４０の一端側は前記開口３７と連通している。
【００１７】球抜部材２４は前本体部２２ａの前面に平行に当接して配置される起立板部２４ａと、該起立板部２４ａの後面に突設され供給通路２７と直交する球止板部２４ｂと、該球止板部２４ｂからパチンコ球が通過し得る球落口４１を離して起立板部２４ａの後面に供給通路２７とほぼ平行に張設される球受板部２４ｃとからなり、前記ガイド溝４０に前本体部２２ａの前側から球受板部２４ｃを嵌入してガイド溝４０に沿って左右に摺動する。
【００１８】そして、常態では図６、図７に示されるように球落口４１が球送部材２３の支持面３０上方に位置し、かつ球止板部２４ｂが球送部材２３に対し球抜路３６側であって前記支持面３０上面で支持されるパチンコ球Ｂ１が球抜路３６側に落下するのを阻止する球抜阻止位置に有る。また、この位置から図７鎖線に示すように球止板部２４ｂが球送部材２３から離れる方向に変位して球落口４１が球抜路３６と連通し前記球抜路３６側へのパチンコ球の落下を許容する球抜位置に移動できるようになっている。しかも、このとき球送本体２３ａの上面は球受板部２４ｃにより覆われる。
【００１９】更に、前記球抜部材２４には、図８に示すようにその前面に球抜板４２がビス止めにより一体に設けられる。該球抜板４２は皿部９の側板部１２に設けられるガイド枠４３内に摺動自在に保持され、後側に上下に貫通する係合溝４４が設けられると共に、該係合溝４４内に横ピン４５が突設されている。また、該球抜板４２の一側端には前記球抜口１８を開閉する閉塞板部４６が水平に突設されている。
【００２０】一方、前記側板部１２の後側に略Ｌ字型のレバー部材４７が軸４８により揺動自在に軸支されると共に、操作部材４９が軸５０により上下方向へ押圧自在に軸支されている。そして、前記レバー部材４７の下端部は側板部１２に設けられた長孔５２を介して球抜板４２の係合溝４４内に介入し、その中の横ピン４５が係合孔５１に係合している。また、レバー部材４７上端部の受止部５３上面に操作部材４９が接触して位置ており、該操作部材４９は皿部９の透孔５４から上方に突出している、更に、球流下通路１６の球抜口１８上方に該球抜口１８へ流入するパチンコ球を球噛みが生じないようにならすための球ならし部材５５が配置され、該球ならし部材５５とレバー部材４７とがコイルバネ５６により連結されている。これにより、球抜板４２は常に閉塞板部４６が球抜口１８を塞ぐ位置に付勢されている。
【００２１】しかして、本発明は前記球抜口１８と連通する第一球抜通路１９と、開口３７と連通する第二球抜通路３９とをそれぞれ別個に形成してなる。すなわち、第一球抜通路１９は、図７乃至図１０に示すように前記側板部１２の裏側に形成され、流下端の排出口１９ａが支持板部１５に開設された通口２０に臨むようになっている。また、第二球抜通路３９は第一球抜通路１９の下側に位置しこれとほぼ平行に配設され、流下端の排出口３９ａが同じく前記通口２０に並んで臨んでいる。なお、これら排出口１９ａ，３９ａは余剰球受皿１０に連通するようになっている。」、
　（１−５）「【００２４】次に、このように構成されるパチンコ機の球受皿の作用を説明する。皿部９に貯留されるパチンコ球は、一列に整列されながら図６に示すように支持板部１５の流出口１７に入り球入口２６を介して中空箱枠体２２内の供給通路２７に流入し、最先のパチンコ球Ｂ１が球落口４１内に入って球送り部材２３の支持面３０上に乗り、同時に球抜路３６側に転動するのを球止板部２４ｂにより阻止された状態で停止しており、後続するパチンコ球も連続して待機している。」、　
　（１−６）「【００２７】そこで、遊技終了時に皿部９内に残ったパチンコ球Ｂを余剰球受皿１０に抜き取る場合は、操作部材４９を図８鎖線のように下方へ押圧してレバー部材４７をコイルバネ５６の付勢に抗して回動させる。これによりレバー部材４７と共に球抜板４２が摺動してその閉塞板部４６が球抜口１８を開放し、皿部９内のパチンコ球Ｂが第一球抜通路１９へ落下する。そして、下端の排出口１９ａを介して余剰球受皿１０に排出される。
【００２８】同時に、球抜部材２４の球止板部２４ｂが、図７鎖線に示すように球送本体２３ａから離れる方向、すなわち球抜路３６側へ移動する。これにより、供給通路２７内のパチンコ球Ｂが球落口４１を介して球抜路３６に流入し、開口３７から連通口３８を介し第二球抜通路３９へ流出される。この際、前記第一球抜通路１９と第二球抜通路３９は途中で合流することなく別個に形成されていることから、それら球抜通路１９，３９内を流下するパチンコ球は互いに邪魔されずに円滑に流れることとなる。」、
　（１−７）「【００３１】
【発明の効果】以上述べたように本発明に係るパチンコ機の球受皿は、遊技終了時に皿部に貯留されるパチンコ球および打球供給装置内に残るパチンコ球を同時に球抜きできるパチンコ機の球受皿において、皿部の球抜口と連通する球抜通路と、打球供給装置の開口と連通する球抜通路とをそれぞれ別個に形成するようにしたので、それぞれ流下するパチンコ球が途中で合流することがなく、これにより極めて円滑に流れ、球詰まりを起こすことがなく確実に排出できるという効果を有する。また、これは、遊技の興趣を損ねるようなことがなく、遊技者へのサービスの一環につながる。」。
　
　（１−８）また、パチンコ機の正面図である【図１】には「皿部９の下方に位置する余剰球受皿１０」が示されている。　
　　　　　
　したがって、これらの記載をまとめると、引用刊行物１には、
「　遊技終了時に皿部に貯留されるパチンコ球および打球供給装置内に残るパチンコ球を同時に球抜きしても、球詰まりを起こすことなく確実に排出できるように、皿部の球抜口と連通する球抜通路と、打球供給装置の開口と連通する球抜通路とをそれぞれ別個に形成することにより、それぞれ流下するパチンコ球が途中で合流することがなく、極めて円滑に流れ、球詰まりを起こすことがなく確実に排出できるようにしたパチンコ機であって、
　球払出装置から払い出されたパチンコ球を貯留し、そのパチンコ球を後述する打球供給装置２１に供給する皿部９が備えられ、
　前記皿部９の下方には、皿部９に充満してオーバーフローしたパチンコ球を貯留する余剰球受皿１０が装着され、
　前記皿部９にはパチンコ球が一列に整列される球流下通路１６が形成されており、この球流下通路１６の下流端は流出口１７に接続され、前記流出口１７と対応させて打球供給装置２１が配設され、また、下流端の底面に常には後記する球抜板４２により閉塞される球抜口１８が開設され、該球抜口１８はその下方に設けられた球抜通路である第一球抜通路１９に連通するようになっており、
　前記打球供給装置２１は、中空箱枠体２２と球送部材２３と球抜部材２４とからなり、中空箱枠体２２は、更に前本体部２２ａと後本体部２２ｂとに二分割して形成され、それぞれビス２５止めすることにより一体化され、これら前本体部２２ａと後本体部２２ｂは一体に成形するようにしても良く、前本体部２２ａの一側上部に前記流出口１７と連通する球入口２６が設けられ、後本体部２２ｂの内部には前記球入口２６と連通する横やや下向きの供給通路２７が設けられ、該供給通路２７の終端下方に球送部材２３が配置され、供給通路２７内の最先位置にあるパチンコ球を１個ずつ発射レール３の発射位置５に導くようにされ、
　前記中空箱枠体２２内部の上方に供給通路２７と連なる垂直な球抜路３６が形成され、球抜路３６は球抜通路である第二球抜通路３９と連通され、
　前記球抜部材２４は、常態ではパチンコ球Ｂ１が球抜路３６側に落下するのを阻止する球抜阻止位置に有り、この位置から前記球抜路３６側へのパチンコ球の落下を許容する球抜位置に移動できるように、供給通路２７の下側で前本体部２２ａに設けられるガイド溝４０に沿って左右に摺動し、
　更に、前記球抜部材２４には、その前面に球抜板４２がビス止めにより一体に設けられ、該球抜板４２は皿部９の側板部１２に設けられるガイド枠４３内に摺動自在に保持され、また、該球抜板４２の一側端には前記球抜口１８を開閉する閉塞板部４６が水平に突設され、球抜板４２は常に閉塞板部４６が球抜口１８を塞ぐ位置にコイルバネ５６により付勢され、
　前記球抜口１８と連通する第一球抜通路１９と、球抜部材２４により閉塞される開口３７と連通する第二球抜通路３９とをそれぞれ別個に形成して、第二球抜通路３９を第一球抜通路１９の下側でこれとほぼ平行に配設させて、第一球抜通路１９流下端の排出口１９ａ及び第二球抜通路３９流下端の排出口３９ａを余剰球受皿１０に連通させるものであり、
　皿部９に貯留されるパチンコ球は、一列に整列されながら球入口２６を介して中空箱枠体２２内の供給通路２７に流入し、最先のパチンコ球Ｂ１が球送り部材２３の支持面３０上に乗り、同時に球抜路３６側に転動するのを球止板部２４ｂにより阻止された状態で停止しており、後続するパチンコ球も連続して待機しており、
　遊技終了時に皿部９内に残ったパチンコ球Ｂを余剰球受皿１０に抜き取る場合は、操作部材４９を下方へ押圧してレバー部材４７をコイルバネ５６の付勢に抗して回動させると、レバー部材４７と共に球抜板４２が摺動してその閉塞板部４６が球抜口１８を開放し、皿部９内のパチンコ球Ｂが第一球抜通路１９へ落下して、下端の排出口１９ａを介して余剰球受皿１０に排出され、同時に、球抜部材２４の球止板部２４ｂが、球抜路３６側へ移動して、供給通路２７内のパチンコ球Ｂが球落口４１を介して球抜路３６に流入し、開口３７から連通口３８を介し第二球抜通路３９へ流出される、
　パチンコ機。」の発明（以下、「引用発明１」という。）が記載されていると認められる。
　　　　
　（い）本願補正発明と引用発明１との比較・検討
　（い−１）引用発明１の「発射位置５」は、本願補正発明の「発射部」に相当し、以下同様に、「パチンコ球」は「遊技球」に、「皿部９」は「上皿」に、「余剰球受皿１０」は「皿部９の下方に装着」されているから「上皿の下方に設けられる下皿」に、「供給通路２７」は「供給通路」に、「打球供給装置２１」は「球送り装置」に、「パチンコ機」は「遊技機」に、「球抜き」は「球抜き」に、「第一球抜通路１９」は「第一の球抜通路」に、「球抜口１８」は「第一の球抜口」に、「球抜板４２」は「第一の可動板」に、「第二球抜通路３９」は「第二の球抜通路」に、「開口３７」は「第二の球抜口」に、「球抜部材２４」は「第二の可動板」に、「遊技終了時に皿部９内に残ったパチンコ球Ｂを余剰球受皿１０に抜き取る」は「遊技球を下皿へ排出させる球抜き操作」に、「操作部材４９」は「操作部材」に、それぞれ相当する。
　（い−２）引用発明１の「パチンコ球を貯留し、そのパチンコ球を打球供給装置２１に供給する皿部９」について検討すると、当該打球供給装置２１は、「球送部材２３」を備え、当該球送部材２３は「パチンコ球を１個ずつ発射レール３の発射位置５に導くようにされ」るものであるから、引用発明１は、本願補正発明の「発射部に供給するための遊技球を保持する上皿」に相当する構成を有しているといえる。
　（い−３）引用発明１の「皿部９の下方に装着」され、「皿部９に充満してオーバーフローしたパチンコ球を貯留する余剰球受皿１０」について検討すると、当該「皿部９に充満してオーバーフローしたパチンコ球」は遊技者が獲得した賞品球であることは遊技機の分野における技術常識であるから、引用発明１は、本願補正発明の「上皿の下方に設けられ、賞品球を保持するための下皿」に相当する構成を有しているといえる。
　（い−４）引用発明１の「打球供給装置２１」について検討すると、当該打球供給装置２１は、「供給通路２７が設けられ」る「後本体部２２ｂ」を備え、当該供給通路２７は、「皿部９に貯留されるパチンコ球」が「流入」するもので、「供給通路２７内の最先位置にあるパチンコ球」は「１個ずつ発射レール３の発射位置５に導くようにされ」るものであるから、引用発明１は、本願補正発明の「上皿に連通し、当該上皿から送出された遊技球を発射部に導く供給通路を有する球送り装置」に相当する構成を有しているといえる。
　（い−５）引用発明１の「第一球抜通路１９」に関する記載について検討すると、「皿部９に形成されている球流下通路１６の下流端の底面に常には球抜板４２により閉塞される球抜口１８が開設され」、「該球抜口１８はその下方に設けられた球抜通路である第一球抜通路１９に連通するようになっており」、「球抜板４２は常に閉塞板部４６が球抜口１８を塞ぐ位置にコイルバネ５６により付勢され」、「遊技終了時に皿部９内に残ったパチンコ球Ｂを余剰球受皿１０に抜き取る場合は、操作部材４９を下方へ押圧してレバー部材４７をコイルバネ５６の付勢に抗して回動させると、レバー部材４７と共に球抜板４２が摺動してその閉塞板部４６が球抜口１８を開放し、皿部９内のパチンコ球Ｂが第一球抜通路１９へ落下して、下端の排出口１９ａを介して余剰球受皿１０に排出され」るものであるから、引用発明１は、本願補正発明の「上皿から下皿に連通し、球抜き操作により遊技球を前記上皿から前記下皿に排出する第一の球抜通路」、及び「上皿の底部に設けられ、第一の球抜通路に連通する第一の球抜口」、並びに「第一の球抜口に設けられ、常には当該第一の球抜口を閉じる方向に付勢され、球抜き操作により前記第一の球抜口を開放する位置に移動可能な第一の可動板」に相当する構成を有しているといえる。
　（い−６）引用発明１の「第二球抜通路３９」に関する記載についてまとめると、「打球供給装置２１は、中空箱枠体２２と球送部材２３と球抜部材２４とからなり」、「後本体部２２ｂの内部には供給通路２７が設けられ、該供給通路２７の終端下方に球送部材２３が配置され」、「前記中空箱枠体２２内部の上方に供給通路２７と連なる垂直な球抜路３６が形成され、球抜路３６は球抜通路である第二球抜通路３９と連通され」、「前記球抜部材２４は、常態ではパチンコ球Ｂ１が球抜路３６側に落下するのを阻止する球抜阻止位置に有り、この位置から前記球抜路３６側へのパチンコ球の落下を許容する球抜位置に移動できるように、供給通路２７の下側で前本体部２２ａに設けられるガイド溝４０に沿って左右に摺動し」、「球抜部材２４により閉塞される開口３７と連通する第二球抜通路３９を形成し」、「第二球抜通路３９流下端の排出口３９ａを余剰球受皿１０に連通させるものであり」、「遊技終了時に皿部９内に残ったパチンコ球Ｂを余剰球受皿１０に抜き取る場合は、操作部材４９を下方へ押圧してレバー部材４７をコイルバネ５６の付勢に抗して回動させると」、「打球供給装置内に残るパチンコ球を同時に球抜き」がされるように、「球抜部材２４の球止板部２４ｂが、球抜路３６側へ移動して、供給通路２７内のパチンコ球Ｂが球落口４１を介して球抜路３６に流入し、開口３７から連通口３８を介し第二球抜通路３９へ流出される」ものである。また、引用発明１は「供給通路２７の終端下方に球送部材２３が配置され」、「打球供給装置２１は、中空箱枠体２２と球送部材２３と球抜部材２４とからなり」、「打球供給装置内に残るパチンコ球を同時に球抜き」するものであることから、「供給通路２７の終端に残るパチンコ球を同時に球抜き」するものと認められる。そうすると、引用発明１は、本願補正発明の「球送り装置から下皿に連通する第二の球抜通路」、及び「供給通路の終端に設けられ、第二の球抜通路と連通する第二の球抜口」、並びに「第二の球抜口に設けられ、常には当該第二の球抜口を閉じる方向に付勢され、球抜き操作により前記第二の球抜口を開放する位置に移動可能な第二の可動板」に相当する構成を有しているといえる。
　（い−７）引用発明１におけるパチンコ球を余剰球受皿に抜き取る場合の「球抜板４２が摺動」及び「球抜部材２４の球止板部２４ｂが移動」の事項と、本願補正発明の「操作部材の操作と連動して、第一の可動板と第二の可動板とは遊技機の前後方向に移動し、前記第一の可動板は第一の球抜口を開放する位置に移動するとともに前記第二の可動板は第二の球抜口を開放する位置に移動し」の事項とを比較する。引用発明１の「球抜部材２４は、ガイド溝４０に沿って左右に摺動し、前記球抜部材２４には、その前面に球抜板４２がビス止めにより一体に設けられ」、球抜き時に「球抜部材２４及び球抜板４２」が「第一の球抜口を開放する位置に移動するとともに第二の球抜口を開放する位置に移動」することは、上記（い−５）及び（い−６）に記載したとおりであるから、引用発明１と本願補正発明とは、「操作部材の操作と連動して、第一の可動板と第二の可動板とは遊技機の特定の方向に移動し、前記第一の可動板は第一の球抜口を開放する位置に移動するとともに前記第二の可動板は第二の球抜口を開放する位置に移動し」において共通する。
　（い−８）引用発明１の「球抜板４２により閉塞される球抜口１８」及び「球抜部材２４により閉塞される開口３７」について検討すると、「球抜部材２４には、その前面に球抜板４２がビス止めにより一体に設けられ」、「打球供給装置２１は、球抜部材２４からな」るから、引用発明１は、本願補正発明の「第一の球抜口を落下する遊技球と第二の球抜口を落下する遊技球とを球送り装置を介して排出する」に相当する構成を有しているといえる。
　　
　そうすると、両者の一致点及び相違点は次のとおりである。
　一致点
　発射部に供給するための遊技球を保持する上皿と、
　当該上皿の下方に設けられ、賞品球を保持するための下皿と、
　前記上皿に連通し、当該上皿から送出された遊技球を前記発射部に導く供給通路を有する球送り装置とを備えた遊技機において、
　前記上皿から前記下皿に連通し、球抜き操作により遊技球を前記上皿から前記下皿に排出する第一の球抜通路と、
　前記上皿の底部に設けられ、当該第一の球抜通路に連通する第一の球抜口と、
　当該第一の球抜口に設けられ、常には当該第一の球抜口を閉じる方向に付勢され、球抜き操作により前記第一の球抜口を開放する位置に移動可能な第一の可動板と、
　前記球送り装置から前記下皿に連通する第二の球抜通路と、
　前記供給通路の終端に設けられ、当該第二の球抜通路と連通する第二の球抜口と、
　当該第二の球抜口に設けられ、常には当該第二の球抜口を閉じる方向に付勢され、球抜き操作により前記第二の球抜口を開放する位置に移動可能な第二の可動板とを備え、
　遊技球を下皿へ排出させる球抜き操作を遊技者が実施可能な操作部材を備え、
　当該操作部材の操作と連動して、前記第一の可動板と前記第二の可動板とは遊技機の特定の方向に移動し、前記第一の可動板は前記第一の球抜口を開放する位置に移動するとともに前記第二の可動板は前記第二の球抜口を開放する位置に移動し、
　前記第一の球抜口を落下する遊技球と前記第二の球抜口を落下する遊技球とを前記球送り装置を介して排出する、遊技機。
　
　相違点１
　第一の可動板と第二の可動板とが、本願補正発明では一体成形されているのに対し、引用発明１ではビス止めにより一体に設けられている点。
　相違点２
　操作部材の操作と連動する、第一の可動板と第二の可動板との遊技機に対する移動方向が、本願補正発明では前後方向であるのに対し、引用発明１では左右方向である点。
　
　そこで、上記相違点について検討する。
　相違点１について
　複数の部材を一体に成形することは、成形時の容易性や当該部材の取り扱い時の容易性などを考慮して、当業者が適宜なし得る設計上の事項であり、また、引用発明１には「中空箱枠体２２は、更に前本体部２２ａと後本体部２２ｂとに二分割して形成され、それぞれビス２５止めすることにより一体化され、これら前本体部２２ａと後本体部２２ｂは一体に成形するようにしても良く」と、即ち「ビス止めすることにより一体化されている二つの部材を、一体に成形する」技術が記載されていることを考慮すれば、相違点１に係る本願補正発明の発明を特定する事項とすることは、当業者が容易になし得たものである。　
　相違点２について　　
　可動板の遊技機に対する移動方向をどのようなものとするかは、遊技球の流下方向や他の部材との取付位置関係などを考慮して、当業者が適宜なし得る設計上の事項であり、また、当該移動方向を「左右方向又は前後方向のいずれかの一方向」とすることが、例えば、特開平７−３１３７０６号公報に示された「前後または左右の開閉方向に移動可能に支持される開閉部材（８５）」（【請求項３】、【００２０】、【００３４】、【００３８】、【図１１】、【図１７】参照）及び特開平１１−３４２２４８号公報に示された「左右方向又は前後方向に摺動自在に設けられるシャッター板（２８）」（【００１３】、【００３１】、【図１４】、【図１５】、【図１８】参照）のように、当該技術分野において周知・慣用の技術であることを考えれば、相違点２に係る本願補正発明の発明を特定する事項とすることは、当業者が容易になし得たものである。　
　　　
　また、引用発明１は、「皿部に貯留されるパチンコ球および打球供給装置内に残るパチンコ球を同時に球抜きしても、それぞれ流下するパチンコ球が途中で合流することがなく、極めて円滑に流れ、球詰まりを起こすことがなく確実に排出できる」ものであるから、本願補正発明が格別の効果を奏するものとは認められない。
　
　したがって、本願補正発明は、引用発明１及び周知・慣用の技術に基づいて、当業者が容易に発明をすることができたものであるから、特許法第２９条第２項の規定により特許出願の際独立して特許を受けることができないものである。
　
　（う）補正却下の決定のむすび
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第三、本願発明について
　平成２０年７月２４日付けの手続補正は上記のとおり却下されることとなったので、本願の請求項１に係る発明は、上記平成２０年２月１９日付けで補正された明細書の記載からみて、その特許請求の範囲の請求項１に記載された事項により特定されるものと認められるところ、その請求項１に記載された発明（以下、「本願発明」という。）は、前記「第二、（１）」に補正前として記載した次のとおりのものである。
　
　「発射部に供給するための遊技球を保持する上皿と、
　当該上皿の下方に設けられ、賞品球を保持するための下皿と、
　前記上皿に連通し、当該上皿から送出された遊技球を前記発射部に導く供給通路を有する球送り装置とを備えた遊技機において、
　前記上皿から前記下皿に連通し、球抜き操作により遊技球を前記上皿から前記下皿に排出する第一の球抜通路と、
　前記上皿の底部に設けられ、当該第一の球抜通路に連通する第一の球抜口と、
　当該第一の球抜口に設けられ、常には当該第一の球抜口を閉じる方向に付勢され、球抜き操作により前記第一の球抜口を開放する位置に移動可能な第一の可動板と、
　前記球送り装置から前記下皿に連通する第二の球抜通路と、
　前記供給通路の終端に設けられ、当該第二の球抜通路と連通する第二の球抜口と、
　当該第二の球抜口に設けられ、常には当該第二の球抜口を閉じる方向に付勢され、球抜き操作により前記第二の球抜口を開放する位置に移動可能な第二の可動板とを備え、
　前記第一の可動板と前記第二の可動板とが一体成形されており、
　遊技球を下皿へ排出させる球抜き操作を遊技者が実施可能な操作部材を備え、
　当該操作部材の操作と連動して、前記第一の可動板は前記第一の球抜口を開放する位置に移動するとともに前記第二の可動板は前記第二の球抜口を開放する位置に移動し、
　前記第一の球抜口を落下する遊技球と前記第二の球抜口を落下する遊技球とを前記球送り装置を介して排出することを特徴とする遊技機。」
　
　（ア）刊行物に記載された発明
　原査定の拒絶理由に引用された引用刊行物１（特開２００２−１９１８２０号公報）に記載された事項は前記「第二、（２）（あ）刊行物に記載された発明」に記載された事項と同様であるから、援用する。
　
　（イ）本願発明と引用発明１との対比・判断
　本願発明は、前記「第二、（２）（い）」で検討した本願補正発明から「前記第一の可動板と前記第二の可動板とは遊技機の前後方向に移動し、」との構成を削除したものに相当し、この構成の削除に伴い、上記「相違点２」は存在しなくなったものである。
　そうすると、本願発明と引用発明１とは上記「相違点１」で相違し、この「相違点１」についての検討内容は前記「第二、（２）（い）」に記載したとおりであるから、本願発明は、引用発明１に基づいて、当業者が容易に発明をすることができたものである。
　
　（ウ）むすび
　以上のとおり、本願発明は、引用発明１に基づいて、当業者が容易に発明をすることができたものであるから、特許法第２９条第２項の規定により特許を受けることができないものであり、本願は拒絶すべきものである。
　よって、結論のとおり審決する。
　　　
　　　
　（付言）
　平成２１年４月３０日付けで提出された回答書には「当該操作部材の操作と連動して、前記第一の可動板と前記第二の可動板とは
ギアによって